(57)【要約】【課題】比較的簡易な構成であって組立て容易であり、しかも各パック容器の短尺側両側辺を確固と安定状態に支持することができ、以て、パック容器の底が直接段ボールケースに触れることに起因する青果物等の荷傷みを確実に防止し得る段ボールケースを提供することを課題とする。【解決手段】箱状に組立てられる容体と、容体内に嵌め込まれる十字形仕切りとから成り、容体の短尺壁形成部は、底壁１に連設された短尺外側面形成部１０と、短尺外側面形成部１０を両側に延長し且つ該両側延長部を外方に延長して形成した折込片形成部と、短尺外側面形成部１０から適宜間隔を置いて折込片形成部の外方延長部間に連設される支持壁形成部１４とから成り、支持壁形成部１４の両側には折曲線２８が形成され、折曲線２８の作用で容体組立時に支持壁形成部１４と短尺外側面形成部１０とが離隔される。【選択図】図５
2007161305.tif 000002
【特許請求の範囲】
【請求項１】
段ボール材を折曲して箱状に組立てられる容体と、前記容体内に嵌め込まれて前記容体内を区画する仕切りとから成り、前記容体の長尺壁は、長尺壁内側面形成部を底壁に連設される長尺壁外側面形成部上に折り畳んだ後起立させることにより形成され、前記容体の短尺壁形成部は、前記底壁に連設された短尺壁外側面形成部と、前記短尺壁外側面形成部を両側に延長し且つ該両側延長部を外方に延長して形成した折込片形成部と、前記短尺壁外側面形成部から適宜間隔を置いて前記折込片形成部の前記外方延長部間に連設される支持壁形成部とから成り、前記支持壁形成部の両側には折曲線が形成され、前記折曲線の作用で前記容体組立時に前記支持壁形成部と前記短尺壁外側面形成部とが離隔されることを特徴とする段ボールケース。
【請求項２】
前記仕切りは横仕切りと縦仕切りとから成る十字形仕切りであり、前記横仕切りは、両端部及び中間部に配設される連結面を介して断面コ字状に組立てられ、その両側面上端は、前記端部と中間部に存する連結面間において上方に延出してパック容器の支持壁を構成する請求項１に記載の段ボールケース。
【発明の詳細な説明】
【技術分野】
【０００１】
本発明は段ボールケース、より詳細には、イチゴ等の青果物その他の製品を入れたパック容器を複数収納するケースであって、その収納に際し、当該パック容器の縁を引っ掛けて所謂宙吊り状態にする段ボールケースに関するものである。
【背景技術】
【０００２】
例えば、いちご、いちじく、ぶとう等の青果物は、直接段ボールケースに収納されることはなく、パック容器に入れられた上で、複数パック（通例２又は４パック）ごとに段ボールケースに収納されて流通に供せられる。
【０００３】
従来用いられてきたパック容器使用の段ボールケースは、パック容器の底部が直接段ボールケースに触れる方法で収納するものであった。しかし、その方法の場合は、流通時の荷傷みが発生しやすく、荷傷みは、青果物の市場価格の低下、廃棄処分などの原因となるため、青果物出荷用包材においても検討せざるを得ない課題となっていた。
【０００４】
この対策のために、パック容器が直接段ボールケースに触れることの無いようにケース内でパック容器を浮かす、所謂宙吊り構造が考えられている。また、使用者の負担が増えないよう、容易な手法でのパック容器宙吊り構造が要求されている。例えば、特開２００５−１５０４６号公報記載のものがこれに当たる。しかし、そこに記載のものは、パック容器の縁を引掛けるために側壁から舌片を出すものであるが、この舌片ではパック容器の支持が不安定となり、パック容器の底面がケース底面に接触するおそれがある。
【０００５】
特開２００４−２９２０５４号公報記載のものは、パック容器の断面半円形の縁を引掛ける部分が平坦面であるために滑りやすいだけでなく、四周壁のすべてが二重構造であって、材料使用量が多くて複雑になり、組立てにも手間がかかるという問題がある。
【０００６】
特開２００５−３５６１２号公報記載のものは、ケースの短尺側側壁に形成されてパック容器の短尺側側辺を引掛ける支持片の支持が十分とは言えず（特に両端部）、内方に傾きやすいだけでなく、四周壁が二重壁であって、上記特開２００４−２９２０５４号と同様の問題がある。
【０００７】
更に特開２００５−１１２４４８号公報記載のものにおいては、その第一実施例では、パック容器の短尺側はケースの角部に配備される支持片に引掛けられるために安定せず、また、その第二実施例においては、パック容器の短尺側が引掛けられる支持片は、両側壁から折曲され、内端突合わせ部が縦仕切片にて咬合されるが、その咬合は必ずしも十分とは言えず、衝撃で外れるおそれがあり、パック容器の支持が十分に行われないおそれがある。
【０００８】
なお、特開２００５−２９２５７号公報記載のものもあるが、これは、ケース底面に、両側から傾斜面にてパック容器を支持してケース底面から浮上させる添当部を設けるものであるが、これはパック容器の底面を下から受けて支持するものであって、本願発明において企図する宙吊り状態とは異なる。
【０００９】
【特許文献１】特開２００５−１５０４６号公報
【特許文献２】特開２００４−２９２０５４号公報
【特許文献３】特開２００５−３５６１２号公報
【特許文献４】特開２００５−１１２４４８号公報
【特許文献５】特開２００５−２９２５７号公報
【発明の開示】
【発明が解決しようとする課題】
【００１０】
上述したように、従来提唱されているパック容器宙吊り構造の段ボールケースには、パック容器を安定状態に支持し得ない、段ボール紙材使用量が多いためにコスト高となり、構造が複雑で、組立てに手間がかかるといった問題があったので、本願発明はそのような問題のない、即ち、比較的簡易な構成であって組立て容易であり、しかも各パック容器の短尺側両側辺を確固と安定状態に支持することができ、以て、パック容器の底が直接段ボールケースに触れることに起因する青果物等の荷傷みを確実に防止し得る段ボールケースを提供することを課題とする。
【課題を解決するための手段】
【００１１】
上記課題を解決するための請求項１に記載の発明は、段ボール材を折曲して箱状に組立てられる容体と、前記容体内に嵌め込まれて前記容体内を４つに区画する十字形仕切りとから成り、前記容体の長尺壁は、長尺壁内側面形成部を底壁に連設される長尺外側面形成部上に折り畳んだ後起立させることにより形成され、前記容体の短尺壁形成部は、前記底壁に連設された短尺外側面形成部と、前記短尺外側面形成部を両側に延長し且つ該両側延長部を外方に延長して形成した折込片形成部と、前記短尺外側面形成部から適宜間隔を置いて前記折込片形成部の前記外方延長部間に連設される支持壁形成部とから成り、前記支持壁形成部の両側には折曲線が形成され、前記折曲線の作用で前記容体組立時に前記支持壁形成部と前記短尺外側面形成部とが離隔されることを特徴とする段ボールケースである。
【００１２】
好ましくは、前記仕切りは横仕切りと縦仕切りとから成る十字形仕切りであり、前記横仕切りは、両端部及び中間部に配設される連結面を介して断面コ字状に組立てられ、その両側面上端は、前記端部と中間部に存する連結面間において上方に延出してパック容器の支持壁を構成する。
【発明の効果】
【００１３】
本発明に係る段ボールケースは上記構成のため、比較的簡易な構成であって組立て容易であり、しかも各パック容器の短尺側両側辺を確固と安定状態に浮上させて支持することができ、以て、パック容器の底が直接段ボールケースに触れることに起因する青果物等の荷傷みを確実に防止し得る効果がある。
【発明を実施するための最良の形態】
【００１４】
本発明を実施するための最良の形態について、添付図面に依拠して説明する。本発明に係る段ボールケースは、容体Ａと、容体Ａ内に組み込まれて容体Ａ内を仕切る、例えば、十字形の仕切りＢとから成る。図１は、それを形成するための、段ボール材を打ち抜いて形成した台紙を示すものである。それはパック容器４個収納用で、容体形成部と十字形仕切り形成部とを含んでいる。台紙中の実線は切線を、破線は折曲線を示している。
【００１５】
先ず、容体形成部について説明するに、図中１は容体の底壁であり、その両長辺側（図１において左右側辺。以下の説明で左右、上下とあるのは、図１を基準とする。）に二重壁である長尺壁４ａ、４ａが設置される。この長尺壁４ａ、４ａ形成のために、底壁１の両長辺に連続して長尺壁外側面形成部２、２が設けられ、その外側に、額縁形成部３、３を介して長尺壁内側面形成部４、４が連設される。また、底壁１と長尺壁外側面形成部２、２との間の折曲線５、５に沿って、上下２つずつ差込口６、７が穿設される。中寄りの各差込口６には、組立時にそれぞれ、長尺壁内側面形成部４、４の外側辺に突設された差込突部８が差込まれる。
【００１６】
底壁１の両短辺には、パック容器の短尺側上縁を引掛けるための支持壁１４ａが設置される。そのために、底壁１の両短辺に連続して短尺壁外側面形成部１０、１０が設けられ、その両側に、折込片形成部１１、１２が延設される。折込片形成部１１、１２の長さ（左右方向）は、長尺壁外側面形成部２、２の長さの約２分の１とされ、その幅（上下方向）は、短尺壁外側面形成部１０、１０の約２倍とされ、その中間横方向に折曲線１３、１３が刻設される。
【００１７】
折込片形成部１１、１２の外方向延長部（折曲線１３、１３の外側）間に、支持壁形成部１４、１４が渡される。支持壁形成部１４、１４の両側には折曲線２８、２８が刻設され、また、各支持壁形成部１４、１４と短尺壁外側面形成部１０、１０との間には、両者を離隔するための打抜き穴１５、１５が設けられる。この打抜き穴１５、１５の上下方向幅によって支持壁形成部１４、１４の幅、換言すれば、支持壁１４ａの高さが決まるので、支持壁形成部１４、１４の幅は、収納するパック容器の高さよりも少し大となるように設定する必要がある。
【００１８】
一方の長尺壁内側面形成部４の外側に、十字形仕切りＢを形成するための縦仕切り形成部１６と横仕切り形成部１７とが、それぞれ切り取り可能に連設されている。これらの縦仕切り形成部１６と横仕切り形成部１７は、組立時に切り離される（図２参照）。
【００１９】
縦仕切り形成部１６には、両端部と中央部２個所に切込み１８、１９が形成され、そのまま縦仕切り２６として利用される。横仕切り形成部１７は、両端部と中央部に、それぞれ所定幅の平行折曲線２０、２１が短く刻設され、また、中央長さ方向に延びて、平行折曲線２０と平行折曲線２１に続く切線２２が入れられる。
【００２０】
横仕切り形成部１７において、両側部を平行折曲線２０，２１に沿って直角に折曲すると、両端部の平行折曲線２０、２０間及び中央部の平行折曲線２１、２１間にそれぞれ連結面２３、２４が残り、この連結面２３、２４を上面とする断面倒コ字形の横仕切り２５が組み上がる（図３参照）。この横仕切り２５の両側板は、その上端面にパック容器の一方の短尺辺を引掛ける支持壁１７ａとなる。縦仕切り２６は、上方よりその中央部の切込み１９、１９を、横仕切り２５の連結面２４から支持壁１７ａにかけて形成されるスリット２８に咬合させて組み付け、以て十字形仕切りＢを構成する。
【００２１】
上記台紙を折曲して容体Ａを組み立てるには、先ず、上下の折込片形成部１１、１２を、それぞれ折曲線１３、１３から二つ折りにする（図４参照）。その際、支持壁形成部１４、１４も翻転して、短尺壁外側面形成部１０、１０上に重なる。次いで、二つ折りした折込片形成部１１、１２をそれぞれ折曲線３１、３１ａ、３２、３２ａから直角に折曲して折込片１１ａ、１２ａを形成し、更に、短尺壁外側面形成部１０、１０を折曲線３３、３３から折曲して直角に起立させ、短尺壁１０ａ、１０ａを形成する（図５）。
【００２２】
上記折込片１１ａ、１２ａの折曲に伴い、支持壁形成部１４、１４が短尺壁外側面形成部１０から離隔する。即ち、折曲線３１、３２と折曲線３１ａ、３２ａは、図１に示すように同一線上に刻設されるため、重ねて折曲すると、段ボールの厚みの関係で、内側の折曲線３１ａ、３２ａ間の支持壁形成部１４、１４が両側から圧縮力を受ける（図９参照）。しかるに、支持壁形成部１４、１４の両側には折曲線２８、２８が刻設されているので、上記圧縮力は、支持壁形成部１４、１４が折曲線２８、２８から折曲することで逃がすことができる。その結果、支持壁形成部１４、１４は短尺壁外側面形成部１０、１０から浮上して離隔する。
【００２３】
上記のように、短尺壁外側面形成部１０、１０を折曲線３３、３３から折曲して起立させることにより、外側に短尺壁１０ａ、１０ａが形成されると同時に、内側に支持壁１４ａ、１４ａが構成される。その際、両側の折込片１１ａ、１１ａ（１２ａ、１２ａ）がそれぞれ折曲線５、５上に位置するので（図５参照）、各折込片を、長尺壁外側面形成部２、２を折曲線５、５から折曲すると共に、長尺壁内側面形成部４、４を額縁形成部３、３に沿って折曲することによってくるみ、以て、各折込片１１ａ、１２ａを包持した長尺壁４ａ、４ａが構成される（図６、図７参照）。なお、その際、各差込突部８が、それぞれ対応する差込口６に差し込まれる。
【００２４】
このようにして容体Ａを組立てた後、容体Ａ内に十字形仕切りＢを差し込み、縦仕切り２６の切込み１８、１８に支持壁１４ａ、１４ａの中間部を嵌め入れることにより組立て完成となる（図８参照）。
【００２５】
このように本発明に係る段ボールケースは、短尺壁１０ａと支持壁１４ａとの同時立上げ工程、折込片１１ａ、１２ａをくるみながらの長尺壁４ａ構成工程、十字形仕切りＢの組み付け工程という単純且つ簡易な方法で、何人も容易且つ迅速に組立てることができる。
【００２６】
そして、組立てられた段ボールケースにおいては、支持壁１４ａ、１４ａは両側から固定され且つ中央部が縦仕切り２６によって保持されるので、揺動することなく確固としたものとなる。また、横仕切り２５は、連結面２３、２４を介して倒コ字形に形成され且つ縦仕切り２６に保持されるので、やはり揺動することなく確固としたものとなる。かくして、収納されたパック容器４０は、その短尺辺側上縁が、その凹部に支持壁１４ａと横仕切り２５の支持壁１７ａとが入り込むことによって、その全長近くに亘って確実に掛止支持されるので、パック容器４０は段ボールケース内において安定した宙吊り状態を維持する。
【００２７】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２８】
【図１】本発明に係る段ボールケースを形成するための台紙の展開図である。
【図２】図１に示す台紙から縦仕切り形成部及び横仕切り形成部を切り離した状態を示す図である。
【図３】本発明に係る段ボールケースにおける十字形仕切りの組立方法を示す図である。
【図４】本発明に係る段ボールケースにおける容体の第１組立工程を示す図である。
【図５】本発明に係る段ボールケースにおける容体の第２組立工程を示す図である。
【図６】本発明に係る段ボールケースにおける容体の第３組立工程を示す図である。
【図７】本発明に係る段ボールケースにおける容体の第４組立工程を示す図である。
【図８】本発明に係る段ボールケースにおける容体の第５組立工程を示す図である。
【図９】本発明に係る段ボールケースにおける短尺壁側支持壁の形成方法を示す図である。
【符号の説明】
【００２９】
１            底壁
２            長尺壁外側面形成部
３            額縁形成部
４            長尺壁内側面形成部
４ａ          長尺壁
５            折曲線
６、７        差込口
８            差込突部
１０            短尺壁外側面形成部
１０ａ          短尺壁
１１、１２      折込片形成部
１１ａ、１２ａ  折込片
１３            折曲線
１４            支持壁形成部
１４ａ          支持壁
１５            打抜き穴
１６            縦仕切り形成部
１６            横仕切り形成部
１７ａ          支持壁
１８、１９      切込み
２０、２１      平行折曲線
２２            切線
２３、２４      連結面
２５            横仕切り
２６            縦仕切り
２８            スリット
３１、３１ａ、３２、３２ａ、３３    折曲線
【図１】
2007161305.tif 000003
【図２】
2007161305.tif 000004
【図３】
2007161305.tif 000005
【図４】
2007161305.tif 000006
【図５】
2007161305.tif 000007
【図６】
2007161305.tif 000008
【図７】
2007161305.tif 000009
【図８】
2007161305.tif 000010
【図９】
2007161305.tif 000011